(57)【要約】【課題】  表示サイズが大きくなっても、簡単な構造で、防水性を確保できるようにする。【解決手段】  ケース本体１の内面に設けられた取付枠部１０に、表示用開口部３を囲む防水パッキン７を介して透明な保護部材６を配置し、この保護部材６をケース本体１に複数の固定ねじ８で締め付けて、保護部材６を面方向にスライド可能な状態で防水パッキン７を圧縮させた。従って、ケース本体１と保護部材６との膨張率の差によって歪みが生じても、保護部材６が防水パッキン７を圧縮させた状態で面方向にスライドするので、ケース本体１と保護部材６との膨張率の差によって生じる歪みを吸収することができる。これにより、液晶表示装置２の表示画面が大きくなっても、防水性を確保することができる。【選択図】        図２
2005333290.tif 000002
【特許請求の範囲】
【請求項１】
内部に収納された表示装置に対応する部分に表示用開口部が設けられたケース本体と、
このケース本体の外面と内面との一方の面に配置されて前記表示用開口部を塞ぐ透明な保護部材と、
前記ケース本体と前記保護部材との間に前記表示用開口部を囲んで配置された防水パッキンと、
この防水パッキンを前記保護部材で圧縮させた状態で、前記ケース本体と前記保護部材とをその面方向にスライド可能に締結する締結部材と
を備えたことを特徴とする表示装置の防水構造。
【請求項２】
前記締結部材は複数の固定ねじを有し、前記ケース本体には前記複数の固定ねじがそれぞれ螺着する複数のねじ穴が設けられ、前記保護部材には、前記複数の固定ねじのうち、一つの固定ねじが挿入して前記保護部材を位置規制する位置規制孔と、他の固定ねじが面方向に相対的に移動可能に挿入する複数の逃がし孔とが設けられていることを特徴とする請求項１に記載の表示装置の防水構造。
【請求項３】
内部に収納された表示装置に対応する部分に表示用開口部が設けられたケース本体と、
このケース本体の外面と内面との一方の面に配置されて前記表示用開口部を塞ぐ透明な保護部材と、
前記ケース本体と前記保護部材との間に前記表示用開口部を囲んで配置された防水パッキンと、
前記ケース本体に固定され、この状態で前記保護部材をその面方向にスライド可能に押え付けて前記防水パッキンを圧縮させる押え部材と
を備えたことを特徴とする表示装置の防水構造。
【請求項４】
前記表示装置と前記保護部材との間には防塵クッションが配置されていることを特徴とする請求項１〜３のいずれかに記載の表示装置の防水構造。
【請求項５】
前記防水パッキンと前記防塵クッションとは一体に形成されていることを特徴とする請求項４に記載の表示装置の防水構造。
【請求項６】
前記ケース本体の外面には、表示装置の表示画面に対応する開口部が設けられたカバー部材が少なくとも前記保護部材を覆って取り付けられていることを特徴とする請求項１〜５のいずれかに記載の表示装置の防水構造。
【発明の詳細な説明】
【技術分野】
【０００１】
この発明は、浴室などで使用するテレビや、屋外などで使用する電子カメラなどの電子機器に用いられる表示装置の防水構造に関する。
【背景技術】
【０００２】
例えば、浴室で使用するテレビにおいては、表示装置を収納するケース本体を備え、このケース本体に表示用開口部を表示装置に対応させて設けると共に、このケース本体の外面に表示用開口部を塞ぐ透明な保護部材を接着テープで接着し、この状態で表示装置をケース本体の内面に防塵クッションを介して取り付けた構造になっている。
このようなテレビでは、ケース本体と保護部材板との材質が異なると、膨張係数（または収縮係数）が異なるため、この膨張率（または収縮率）の差によってケース本体と保護部材とを接着する接着テープに歪みが生じる。
【０００３】
この場合、表示装置の表示サイズが６インチ程度に小さいと、ケース本体と保護部材とを接着する接着テープに歪みが生じても、その歪みを接着テープによって吸収することができる。しかし、表示装置の表示サイズが大きくなると、ケース本体と保護部材との膨張による差が大きくなり、これに伴って接着テープに生じる歪みも大きくなるため、その歪みを接着テープで吸収しきれず、接着テープの接着面に皺などによる隙間が発生し、その隙間から水や湿気が侵入する。
【０００４】
このような問題を解消する手段として、例えば、特許文献１の防水構造が開発されている。この特許文献１の防水構造は、ケース本体の表示用開口部を囲むように設けられた防水パッキンに透明な保護部材を当接させて表示用開口部を塞ぎ、この状態で複数の固定ねじによりケース本体にブラケットを取り付け、このブラケットによって透明な保護部材を防水パッキンに圧接させて取り付けるように構成されている。
【０００５】
この場合、ケース本体にブラケットを複数の固定ねじで取り付けて、このブラケットで透明な保護部材を押え付けるときに、防水パッキンと固定ねじとを挟んで対向する部分に浮き上がり防止部を設け、この浮き上がり防止部にもブラケットを圧接させることにより、固定ねじを締め付けるときに、透明な保護部材が浮き上がらないようにしている。
【特許文献１】特開２０００−７５３８２号
【発明の開示】
【発明が解決しようとする課題】
【０００６】
しかしながら、このような特許文献１の防水構造では、表示装置の表示サイズが大きくなっても、ケース本体と保護部材との膨張率の差によって生じる歪みを吸収することはできるが、ケース本体にブラケットを複数の固定ねじで締結し、このブラケットによって透明な保護部材を押え付ける構成であるから、その取付時に透明な保護部材の浮き上がりを防ぐための浮き上がり防止部が必要となり、このため部品点数が増加し、構造が複雑で、組み立て作業も煩雑になり、製作コストが高くなるという問題がある。
【０００７】
この発明が解決しようとする課題は、表示サイズが大きくなっても、簡単な構造で、防水性を確保することができる表示装置の防水構造を提供することである。
【課題を解決するための手段】
【０００８】
この発明は、上記課題を解決するために、次のような構成要素を備えている。
なお、各構成要素には、後述する各実施形態の項で説明される各要素に付されている図面の参照番号などを括弧と共に付す。
【０００９】
請求項１に記載の発明は、図１〜図６に示すように、内部に収納された表示装置（液晶表示装置２）に対応する部分に表示用開口部（３、１３）が設けられたケース本体（１）と、このケース本体の外面と内面との一方の面に配置されて前記表示用開口部を塞ぐ透明な保護部材（６）と、前記ケース本体と前記保護部材との間に前記表示用開口部を囲んで配置された防水パッキン（７）と、この防水パッキンを前記保護部材で圧縮させた状態で、前記ケース本体と前記保護部材とをその面方向にスライド可能に締結する締結部材（固定ねじ８）とを備えたことを特徴とする表示装置の防水構造である。
【００１０】
請求項２に記載の発明は、図１〜図６に示すように、前記締結部材が複数の固定ねじ（８）を有し、前記ケース本体（１）には前記複数の固定ねじがそれぞれ螺着する複数のねじ穴（１２）が設けられ、前記保護部材（６）には、前記複数の固定ねじのうち、一つの固定ねじが挿入して前記保護部材を位置規制する位置規制孔（６ａ）と、他の固定ねじが面方向に相対的に移動可能に挿入する複数の逃がし孔（６ｂ〜６ｄ）とが設けられていることを特徴とする請求項１に記載の表示装置の防水構造である。
【００１１】
請求項３に記載の発明は、図７〜図１０に示すように、内部に収納された表示装置（液晶表示装置２）に対応する部分に表示用開口部（３、２６）が設けられたケース本体（１）と、このケース本体の外面と内面との一方の面に配置されて前記表示用開口部を塞ぐ透明な保護部材（６）と、前記ケース本体と前記保護部材との間に前記表示用開口部を囲んで配置された防水パッキン（７）と、前記ケース本体に固定され、この状態で前記保護部材をその面方向にスライド可能に押え付けて前記防水パッキンを圧縮させる押え部材（２０）とを備えたことを特徴とする表示装置の防水構造である。
【００１２】
請求項４に記載の発明は、図１〜図１０に示すように、前記表示装置（液晶表示装置２）と前記保護部材（６）との間に、防塵クッション（９）が配置されていることを特徴とする請求項１〜３のいずれかに記載の表示装置の防水構造である。
【００１３】
請求項５に記載の発明は、図６および図１０に示すように、前記防水パッキン（７）と前記防塵クッション（９）とが一体に形成されていることを特徴とする請求項４に記載の表示装置の防水構造である。
【００１４】
請求項６に記載の発明は、図５、図６、図９、および図１０に示すように、前記ケース本体（１）の外面には、表示装置（液晶表示装置２）の表示画面（２ａ）に対応する開口部（カバー開口部１６、２８）が設けられたカバー部材（１５、２５）が少なくとも前記保護部材（６）を覆って取り付けられていることを特徴とする請求項１〜５のいずれかに記載の表示装置の防水構造である。
【発明の効果】
【００１５】
請求項１に記載の発明によれば、ケース本体の外面と内面との一方の面に、表示用開口部を囲む防水パッキンを介して透明な保護部材を配置し、この保護部材をケース本体に締結部材で締結するときに、保護部材で防水パッキンを圧縮させた状態で、保護部材をその面方向にスライド可能に締結したので、ケース本体と保護部材との膨張率の差によって歪みが生じても、保護部材が防水パッキンを圧縮させた状態で面方向にスライドすることにより、膨張率の差によって生じる歪みを確実に吸収することができる。
【００１６】
このため、表示装置の表示サイズを大きくして、ケース本体と保護部材との膨張率の差によって生じる歪みが大きくなっても、防水性を確保することができる。特に、締結部材によってケース本体に締結される保護部材が、直接、防水パッキンを押え付けるので、従来例のような透明な保護部材を押えるブラケットや、保護部材の浮き上がりを防ぐ浮き上がり防止部などの部品が不要となり、これにより部品点数を削減し、簡単な構造で、組み立て作業の簡素化を図り、低価格なものを得ることができる。
【００１７】
請求項２に記載の発明によれば、締結部材が複数の固定ねじを有し、ケース本体には複数の固定ねじがそれぞれ螺着する複数のねじ穴が設けられ、保護部材には、複数の固定ねじのうち、一つの固定ねじが挿入して保護部材を位置規制する位置規制孔と、他の固定ねじが面方向に相対的に移動可能に挿入する複数の逃がし孔とが設けられていることにより、複数の固定ねじによって保護部材をケース本体にスライド可能に取り付けることができると共に、この保護部材によって防水パッキンをほぼ均一に圧縮させることができる。
【００１８】
このときには、複数の固定ねじを全て保護部材の位置規制孔および複数の逃がし孔に挿入させてケース本体の各ねじ穴に仮止めし、この状態で位置規制孔に挿入された固定ねじを締め付けた後、各逃がし孔に挿入された他の固定ねじを順次締め付ける。これにより、保護部材の各逃がし孔によって保護部材をその締め付け状態に応じて面方向にスライドさせることができるので、保護部材の浮き上がりを防ぐための浮き上がり防止部を用いなくても、保護部材によって防水パッキンをほぼ均一に圧縮させることができる。特に、締結部材として、固定ねじを用いているので、保護部材の着脱作業が容易にでき、これにより保守点検が簡単にできると共に、固定ねじを再利用することができるので、省資源化をも図ることができる。
【００１９】
請求項３に記載の発明によれば、ケース本体の外面と内面との一方の面に、表示用開口部を囲む防水パッキンを介して透明な保護部材を配置し、ケース本体に押え部材を取り付けて保護部材をケース本体に押え付けるときに、保護部材を面方向にスライド可能な状態で防水パッキンを圧縮させたので、ケース本体と保護部材との膨張率の差によって歪みが生じても、保護部材が防水パッキンを圧縮させた状態で面方向にスライドすることにより、膨張率の差によって生じる歪みを確実に吸収することができる。
【００２０】
このため、請求項１に記載の発明と同様、表示装置の表示サイズを大きくして、ケース本体と保護部材との膨張率の差によって生じる歪みが大きくなっても、防水性を確保することができる。特に、ケース本体に取り付けられた押え部材によって保護部材がケース本体にその面方向にスライド可能に押え付けられるので、従来例のような保護部材の浮き上がりを防ぐ浮き上がり防止部を用いなくても、防水パッキンを均一に圧縮させることができ、これにより部品点数を削減し、簡単な構造で、組み立て作業の簡素化を図り、低価格なものを得ることができる。
【００２１】
請求項４に記載の発明によれば、表示装置と保護部材との間に防塵クッションが配置されていることにより、表示装置と保護部材との間に塵埃が侵入するのを防ぐことができると共に、表示装置と保護部材との間に空気空間が形成されるので、保護部材と表示装置との対向面における結露による曇りを防ぐことができ、これにより表示装置に表示された情報をケース本体の外部から良好に観察することができる。
【００２２】
請求項５に記載の発明によれば、防水パッキンと防塵クッションとが一体に形成されていることにより、防水パッキンと防塵クッションとの両者で防水性を確保することができるので、より一層、防水性を高めることができるほか、部品点数の更なる削減を図ることができ、これによっても構造の簡素化および組み立て作業の簡素化を図ることができ、より一層の低価格化を図ることができる。
【００２３】
請求項６に記載の発明によれば、ケース本体の外面に、表示装置の表示画面に対応する開口部が設けられたカバー部材が少なくとも保護部材を覆って取り付けられていることにより、ケース本体の外面に保護部材を締結部材または押え部材によって取り付けても、カバー部材の開口部に対応する部分を除いて、カバー部材によって締結部材や押え部材、保護部材、あるいは防水パッキン、防塵クッションなどを覆い隠すことができ、これにより外観的にもデザイン的にも好ましいものを得ることができるので、商品価値を高めることができる。
【発明を実施するための最良の形態】
【００２４】
（実施形態１）
以下、図１〜図３を参照して、この発明を液晶テレビに適用した実施形態１について説明する。
図１はこの発明の液晶テレビの外観斜視図、図２はその要部を示した拡大断面図、図３は図２の液晶表示装置および保護部材を示した裏面図である。
この液晶テレビは、図１に示すように、ケース本体１を備えている。このケース本体１の前面における中央部には、液晶表示装置２の表示画面が対応する表示用開口部３が設けられている。また、ケース本体１の前面における両側には、電源スイッチや音量スイッチ、選局スイッチなどの各種のスイッチ４が設けられており、このケース本体１の前面における下部両側には、それぞれスピーカ５が設けられている。
【００２５】
また、このケース本体１の内部には、図２に示すように、ケース本体１の表示用開口部３を塞ぐ透明な保護部材６が防水パッキン７を介して配置されている。すなわち、この透明な保護部材６は、複数の固定ねじ８によってケース本体１の内面（図２では下面）に取り付けられており、この保護部材６の内面（図２では下面）には、液晶表示装置２が枠状の防塵クッション９を介して取り付けられている。これにより、液晶表示装置２は、その表示画面（表示領域）２ａがケース本体１の表示用開口部３に対応した状態で、ケース本体１内に配置されている。
【００２６】
この場合、ケース本体１は、ＡＢＳ樹脂、ポリカーボネートなどの合成樹脂で形成されている。このケース本体１の表示用開口部３は、図２および図３に示すように、液晶表示装置２の表示画面２ａとほぼ同じ大きさに形成されており、この表示用開口部３の外周側に位置するケース本体１の内面（図２では下面）には、取付枠部１０が表示用開口部３を囲んで設けられている。また、透明な保護部材６は、ガラスまたはアクリル樹脂などの透明な合成樹脂からなり、図２および図３に示すように、液晶表示装置２よりも大きな平板状に形成され、ケース本体１の内面に設けられた取付枠部１０に表示用開口部３を塞いで配置されるように構成されている。
【００２７】
防水パッキン７は、ゴムなどの弾性材料からなり、図２に示すように断面がほぼ円形状で、図３に示すように無端状に連続して形成され、ケース本体１の取付枠部１０に設けられた装着溝１１内に配置されるように構成されている。この場合、防水パッキン７は、その外径が装着溝１１の深さよりも少し大きく形成され、これにより挿入溝１１内に配置されたときに、その一部が装着溝１１から突出するように構成されている。
【００２８】
また、保護部材６の四隅のうち、一つの隅部（図３では左上隅部）には、図３に示すように、固定ねじ８が挿入して保護部材６を位置規制する位置規制孔６ａが設けられている。この位置規制孔６ａの横方向（同図では右方向）に位置する隅部（同図では右上隅部）には、横方向に細長い逃がし孔６ｂが設けられている。また、位置規制孔６ａの縦方向（同図では下方向）に位置する隅部（同図では左下隅部）には、縦方向に細長い逃がし孔６ｃが設けられている。さらに、位置規制孔６ａの対角線上に位置する隅部（同図では右下隅部）には、縦横方向（同図では上下左右方向）に大きい逃がし孔６ｄが設けられている。
【００２９】
また、この保護部材６の周縁部が配置される取付枠部１０には、図２に示すように、複数の固定ねじ８がそれぞれ螺着する複数のねじ穴１２が保護部材６の各孔６ａ〜６ｄに対応して設けられている。さらに、防塵クッション９は、図２に示すように、その断面形状がほぼ円形状に形成され、図３に示すように、液晶表示装置の表示画面２ａの外周側、および表示用開口部３の外周側に位置した状態で、枠状に連続して形成され、これにより液晶表示装置２と保護部材６との間に配置されるように構成されている。
【００３０】
このような液晶テレビでは、ケース本体１の取付枠部１０に設けられた装着溝１１に防水パッキン７を配置した後、保護部材６をケース本体１の取付枠部１０に複数の固定ねじ８で取り付ける。このときには、まず、複数の固定ねじ８を全て保護部材６の位置規制孔６ａおよび複数の逃がし孔６ｂ〜６ｄにそれぞれ挿入させてケース本体１の取付枠部１０に設けられた各ねじ穴１２にそれぞれ仮止めする。この状態で、保護部材６の位置規制孔６ａに挿入された固定ねじ８を締め付けた後、保護部材６の各逃がし孔６ｂ〜６ｄにそれぞれ挿入された他の固定ねじ８を順次締め付ける。
【００３１】
すなわち、保護部材６の位置規制孔６ａに挿入された固定ねじ８を締め付けると、この固定ねじ８によって保護部材６がケース本体１に位置規制される。この状態で、位置規制孔６ａの横方向に位置する固定ねじ８を締め付けるときには、防水パッキン７によって保護部材６が浮き上がっていても、またケース本体１のねじ穴１２に対し保護部材６の逃がし孔６ｂが位置ずれしていても、その横方向の逃がし孔６ｂによって保護部材６を横方向にスライドさせて所定位置に固定することができる。
【００３２】
同様に、縦方向に位置する固定ねじ８を締め付けるときにも、防水パッキン７によって保護部材６が浮き上がっていても、またケース本体１のねじ穴１２に対して保護部材６の逃がし孔６ｃが位置ずれしていても、その縦方向の逃がし孔６ｃによって保護部材６を縦方向にスライドさせて所定位置に固定することができる。さらに、対角線上に位置する固定ねじ８を締め付けるときにも、防水パッキン７によって保護部材６が浮き上がっていても、またケース本体１のねじ穴１２に対して保護部材６の逃がし孔６ｄが位置ずれしていても、その逃がし孔６ｄによって保護部材６を縦方横向にスライドさせて所定位置に固定することができる。
【００３３】
これにより、複数の固定ねじ８によって保護部材６を締め付けるときに、その締め付け状態に応じて保護部材６を面方向にスライドさせて締め付けることができるので、防水パッキン７によって保護部材６が浮き上がっていても、またケース本体１のねじ穴１２に対して保護部材６の逃がし孔６ｄが位置ずれしていても、複数の固定ねじ８によって保護部材６を良好に且つ確実に所定位置に固定することができると共に、この保護部材６によって防水パッキン７をほぼ均一に圧縮させることができる。
【００３４】
このように、この液晶テレビによれば、ケース本体１の内面に設けられた取付枠部１０に、表示用開口部３を囲む防水パッキン７を介して透明な保護部材６を配置し、この保護部材６をケース本体１に複数の固定ねじ８で締め付けて、保護部材６を面方向にスライド可能な状態で防水パッキン７を圧縮させたので、ケース本体１と保護部材６との膨張率の差によって歪みが生じても、保護部材６が防水パッキン７を圧縮させた状態で面方向にスライドすることにより、ケース本体１と保護部材６との膨張率の差によって生じる歪みを確実に吸収することができる。
【００３５】
このため、液晶表示装置２の表示画面２ａを大きくして、ケース本体１と保護部材６との膨張率の差によって生じる歪みが大きくなっても、防水性を確保することができ、これにより浴室でも良好に使用することができる。この場合、特に複数の固定ねじ８によってケース本体１に固定される保護部材６が、直接、防水パッキン７を押え付けるので、従来例のような保護部材６を押えるブラケットや、保護部材６の浮き上がりを防ぐための浮き上がり防止部などの部品が不要となり、これにより部品点数を削減でき、構造の簡素化および組み立て作業の簡素化を図り、低価格なものを得ることができる。
【００３６】
また、透明な保護部材６をケース本体１に複数の固定ねじ８で取り付けているので、その着脱作業が容易にでき、これにより保守点検が簡単にできると共に、固定ねじ８を再利用することができるので、省資源化をも図ることができる。さらに、液晶表示装置２と保護部材６との間に防塵クッション９が表示画面２ａを囲むように配置されているので、液晶表示装置２と保護部材６との間に塵埃が侵入するのを防ぐことができると共に、液晶表示装置２と保護部材６との間に空気空間が形成されるので、液晶表示装置２と保護部材６との対向面における結露による曇りを防ぐことができ、これにより液晶表示装置２に表示された情報をケース本体１の外部から良好に観察することができる。
【００３７】
（実施形態２）
次に、図４を参照して、この発明を液晶テレビに適用した実施形態２について説明する。なお、図１〜図３に示された実施形態１と同一部分には同一符号を付して説明する。
この液晶テレビは、透明な保護部材６をケース本体１の外面（図４では上面）に防水パッキン７を介して配置し、この状態で保護部材６をケース本体１の外面に複数の固定ねじ８によって取り付けた構造で、これ以外は実施形態１とほぼ同じ構造になっている。この場合、ケース本体１には、液晶表示装置２が挿入して配置される表示用開口部１３が設けられている。
【００３８】
また、このケース本体１の外面（図４では上面）には、装着溝１４が表示用開口部１３を囲んで設けられている。この装着溝１４も、実施形態１と同様、その深さが防水パッキン７の外径よりも少し浅く形成され、これにより防水パッキン７が装着されたときに、その一部が外部に突出するように構成されている。また、このケース本体１の外面における防水パッキン７の外周側には、複数の固定ねじ８がそれぞれ螺着するねじ穴１２が保護部材６の位置規制孔６ａおよび各逃がし孔６ｂ〜６ｄに対応して設けられている。この場合にも、液晶表示装置２は、保護部材６の内面（図４では下面）に防塵クッション９を介して取り付けられている。
【００３９】
このような液晶テレビにおいても、実施形態１と同様、ケース本体１と保護部材６との膨張率の差によって生じる歪みを確実に吸収することができるので、液晶表示装置２の表示画面２ａを大きくしても、防水性を確保することができると共に、防塵クッション９によって液晶表示装置２と保護部材６との対向面における結露による曇りを防ぐことができるほか、特に保護部材６がケース本体１の外面に防水パッキン７を介して複数の固定ねじ８で取り付けられているので、ケース本体１の外部から保護部材６を取り付けることができ、このため保護部材６および液晶表示装置２の組み付け作業が容易にでき、これにより組み立て作業性の向上を図ることができると共に、より一層、保守点検が容易にできる。
【００４０】
（実施形態３）
次に、図５を参照して、この発明を液晶テレビに適用した実施形態３について説明する。この場合には、図４に示された実施形態２と同一部分に同一符号を付して説明する。
この液晶テレビは、ケース本体１の外面（図５では上面）に透明な保護部材６を覆うカバー部材１５を設けた構造で、これ以外は実施形態２と同じ構造になっている。すなわち、このカバー部材１５は、ほぼ平板状に形成され、液晶表示装置２の表示画面２ａに対応する部分にカバー開口部１６が設けられ、保護部材６を覆ってケース本体１の外面に配置されると、複数の固定ねじ８、防水パッキン７、および防塵クッション９をも覆い、この状態でケース本体１の外面に取外し可能に取り付けられている。
【００４１】
このような液晶テレビにおいても、実施形態２と同様、液晶表示装置２の表示画面２ａが大きくなっても、防水性を確保でき、結露による曇りを防ぐことができると共に、保護部材６および液晶表示装置２の組み立て作業性が良く、保守点検が容易にできるほか、特にカバー部材１５によって、液晶表示装置２の表示画面２ａに対応する部分を除いて、保護部材６、複数の固定ねじ８、防水パッキン７、および防塵クッション９を覆い隠すことができるので、外観的にもデザイン的にも好ましいものを得ることができ、これにより商品価値を高めることができる。
【００４２】
（実施形態４）
次に、図６を参照して、この発明を液晶テレビに適用した実施形態４について説明する。この場合には、図５に示された実施形態３と同一部分に同一符号を付して説明する。
この液晶テレビは、防水パッキン７と防塵クッション９とを一体に形成した構造で、これ以外は実施形態３とほぼ同じ構造になっている。すなわち、防水パッキン７と防塵クッション９とは、連結シード部１７によって一体に連結されて形成されている。この場合、防水パッキン７と防塵クッション９とは、同じ材料であっても良く、また異なる材料であっても良い。
【００４３】
また、液晶表示装置２側に位置する装着溝１４の上端部には、連結シート部１７が挿入して配置される挿入凹部１４ａが設けられている。これにより、連結シート部１７の外端部に設けられた防水パッキン７は装着溝１４内に枠状に連続して配置され、連結シート部１７は挿入凹部１４ａに配置されて液晶表示装置２の前面側（図６では上面側）に位置し、この連結シート部１７の内端部に設けられた防塵クッション９は液晶表示装置２と透明な保護部材６との間に配置される。この防塵クッション９も、液晶表示装置２の表示画面２ａの外周側に枠状に連続して配置されている。
【００４４】
このような液晶テレビにおいても、実施形態３と同様、防水性を確保して結露による曇りを防ぎ、保護部材６および液晶表示装置２の組み立て作業性が良く、保守点検が容易にできると共に、カバー部材１５によって外観的にもデザイン的にも好ましいものを得ることができるほか、特に防水パッキン７と防塵クッション９とを連結シート部１７によって一体に形成したことにより、より一層、防水性を高めることができると共に、部品点数を更に削減して構造の簡素化および組み立て作業の簡素化を図ることができ、これにより、より一層の低価格化を図ることができる。
【００４５】
（実施形態５）
次に、図７および図８を参照して、この発明を液晶テレビに適用した実施形態５について説明する。この場合には、図１〜図３に示された実施形態１と同一部分に同一符号を付して説明する。
この液晶テレビは、複数の固定ねじ８に代えて押え部材２０を用い、この押え部材２０によって透明な保護部材６をケース本体１に取り付けた構造で、これ以外は実施形態１とほぼ同じ構造になっている。
【００４６】
この場合にも、ケース本体１には、図７に示すように、表示用開口部３が液晶表示装置２の表示画面２ａに対応して設けられており、この表示用開口部３の外周側に位置するケース本体１の内面（図７では下面）には、取付枠部１０が表示用開口部３を囲んで設けられている。この取付枠部１０にも、防水パッキン７が装着する装着溝１１が枠状に連続して設けられている。この装着溝１１も、防水パッキン７の外径よりも少し浅く形成され、防水パッキン７の一部が外部に突出して装着されるように構成されている。
【００４７】
また、透明な保護部材６は、ケース本体１内の取付枠部１０に配置されてケース本体１の表示用開口部３を塞ぐように構成されている。そして、押え部材２０は、図８に示すように、保護部材６の表面つまり下面よりも少し大きく形成されたほぼ平板状の枠板部２１を備え、この枠板部２１の周縁部に側壁部２２が形成され、枠板部２１の前後に位置する側壁部２２にほぼＬ字状の脚部２３が形成され、この脚部２３がケース本体１の内面（図７では下面）に取り付けられ、この状態で保護部材６をケース本体１の取付枠部１０に押え付けるように構成されている。
【００４８】
すなわち、この押え部材２０は、図７に示すように、枠板部２１が保護部材６の下面よりも少し大きく形成されていることにより、側壁部２２と保護部材６の端面との間に隙間が形成され、この状態で各脚部２３がケース本体１の内面（図７では下面）に取り付けられたときに、枠板部２１が保護部材６の外周部をケース本体１の取付枠部１０にその面方向にスライド可能に押え付けると共に、この保護部材６が防水パッキン７を圧縮させるように構成されている。なお、保護部材６には、図７に示すように、液晶表示装置２が防塵クッション９を介して取り付けられている。この防塵クッション９も、液晶表示装置２の表示画面２ａを囲むようにその外側に配置されている。
【００４９】
このような液晶テレビによれば、ケース本体１の内面に設けられた取付枠部１０に、表示用開口部３を囲む防水パッキン７を介して透明な保護部材６を配置し、この状態でケース本体１に取り付けられた押え部材２０によって、保護部材６を面方向にスライド可能な状態で防水パッキン７を圧縮させたので、実施形態１と同様、ケース本体１と保護部材６との膨張率の差によって歪みが生じても、保護部材６が防水パッキン７を圧縮させた状態で面方向にスライドすることにより、ケース本体１と保護部材６との膨張率の差によって生じる歪みを確実に吸収することができる。
【００５０】
すなわち、押え部材２０は、その側壁部２２と保護部材６の端面との間に隙間が設けられているので、この隙間によって保護部材６を面方向に膨張させることができ、このため、液晶表示装置２の表示画面２ａを大きくして、ケース本体１と保護部材６との膨張率の差によって生じる歪みが大きくなっても、防水性を確保することができ、これにより浴室でも良好に使用することができる。この場合には、特にケース本体１に取り付けられた押え部材２０によって保護部材６がケース本体１に押え付けられているので、防水パッキン７を均一に圧縮させることができる。
【００５１】
また、この液晶テレビでは、実施形態１のように、保護部材６に複数の固定ねじ８が挿入する位置規制孔６ａや各逃がし孔６ｂ〜６ｄを設けたり、ケース本体１に複数の固定ねじ８が螺着するねじ穴１２を設けたりする必要がないので、防水性を改善することができると共に、より一層、構造の簡素化を図ることができ、これにより低価格で防水性の高いものを得ることができる。
【００５２】
さらに、液晶表示装置２と保護部材６との間に防塵クッション９が表示画面２ａを囲むように配置されているので、実施形態１と同様、液晶表示装置２と保護部材６との間に塵埃が侵入するのを防ぐことができると共に、液晶表示装置２と保護部材６との間に空気空間が形成されるので、液晶表示装置２と保護部材６との対向面における結露による曇りを防ぐことができ、これにより液晶表示装置２に表示された情報をケース本体１の外部から良好に観察することができる。
【００５３】
（実施形態６）
次に、図９を参照して、この発明を液晶テレビに適用した実施形態６について説明する。この場合には、図７および図８に示された実施形態５と同一部分に同一符号を付して説明する。
この液晶テレビは、透明な保護部材６をケース本体１の外面（図９では上面）に防水パッキン７を介して配置すると共に、この保護部材６をケース本体１に押え部材２０で取り付け、この状態でケース本体１の外面に押え部材２０および保護部材６を覆うカバー部材２５を設けた構造で、これ以外は実施形態５とほぼ同じ構造になっている。
【００５４】
この場合、ケース本体１には、液晶表示装置２が挿入して配置される表示用開口部２６が設けられている。また、このケース本体１の外面（図９では上面）には、取付枠部１０が表示用開口部２６の外周側を囲んで設けられており、この取付枠部１０には、防水パッキン７が装着する装着溝２７が枠状に連続して設けられている。この装着溝２７も、実施形態５と同様、その深さが防水パッキン７の外径よりも少し浅く形成され、これにより防水パッキン７が装着されたときに、その一部が外部に突出するように構成されている。
【００５５】
また、液晶表示装置２は、保護部材６の内面（図９では下面）に防塵クッション９を介して取り付けられている。この防塵クッション９も、液晶表示装置２の表示画面２ａを囲むようにその外側に配置されている。一方、カバー部材２５は、実施形態３と同様、ほぼ平板状に形成され、液晶表示装置２の表示画面２ａに対応する部分にカバー開口部２８が設けられ、このカバー開口部２８に対応する部分を除いて、押え部材２０、保護部材６、防水パッキン７、および防塵クッション９を覆った状態で、ケース本体１の外面に取外し可能に取り付けられている。
【００５６】
このような液晶テレビにおいても、実施形態５と同様、液晶表示装置２の表示画面２ａを大きくしても、防水性を確保でき、結露による曇りを防ぐことができるほか、特に保護部材６がケース本体１の外面側に設けているので、保護部材６および液晶表示装置２の組み付け作業が容易で、保守点検が容易にでき、しかもカバー部材２５のカバー開口部２８に対応する部分を除いて、押え部材２０、保護部材６、防水パッキン７、および防塵クッション９をカバー部材２５で覆い隠すことができるので、外観的にもデザイン的にも好ましいものを得ることができ、これにより商品価値をも高めることができる。
【００５７】
（実施形態７）
次に、図１０を参照して、この発明を液晶テレビに適用した実施形態７について説明する。この場合には、図９に示された実施形態６と同一部分に同一符号を付して説明する。
この液晶テレビは、防水パッキン７と防塵クッション９とを一体に形成した構造で、これ以外は実施形態６とほぼ同じ構造になっている。すなわち、防水パッキン７と防塵クッション９とは、連結シート部３０によって一体に連結されて形成されている。この場合、防水パッキン７と防塵クッション９とは、同じ材料であっても良く、また異なる材料であっても良い。
【００５８】
また、液晶表示装置２側に位置する装着溝２７の上端部には、図１０に示すように、連結シート部３０が挿入して配置される挿入凹部２７ａが設けられている。これにより、連結シート部３０の外端部に設けられた防水パッキン７は装着溝２７内に枠状に連続して配置され、連結シート部３０は挿入凹部２７ａに配置されて液晶表示装置２の前面側（図１０では上面）に位置し、この連結シート部３０の内端部に設けられた防塵クッション９は液晶表示装置２と透明な保護部材６との間に配置される。この防塵クッション９も、液晶表示装置２の表示画面２ａの外周側に枠状に連続して配置されている。
【００５９】
このような液晶テレビにおいても、実施形態６と同様、防水性を確保して結露による曇りを防ぎ、保護部材６および液晶表示装置２の組み立て作業性が良く、保守点検が容易にできると共に、カバー部材２５によって外観的にもデザイン的にも好ましいものを得ることができるほか、特に防水パッキン７と防塵クッション９とを連結シート部３０によって一体に形成したことにより、より一層、防水性を高めることができると共に、部品点数を削減して構造の簡素化および組み立て作業性の簡素化を図ることができ、これにより更なる低価格化を図ることができる。
【００６０】
なお、上記実施形態１〜７では、防水パッキン７の断面形状がほぼ円形状に形成されている場合について述べたが、これに限らず、例えば防水パッキン７の断面形状は、ほぼ楕円形状であっても良く、またほぼ平板状であっても良く、さらに四角形や五角形などの多角形状であっても良い。同様に、防塵クッション９も、その断面形状がほぼ円形状である必要はなく、ほぼ楕円形状、ほぼ平板状、あるいは四角形や五角形などの多角形状であっても良い。
【００６１】
また、上記実施形態１〜７では、表示装置として、液晶表示装置２を用いた場合について述べたが、必ずしも液晶表示装置である必要はなく、ＥＬ（エレクトロルミネッセンス）表示装置などの平面型の表示装置であっても良い。また、表示装置を備えた電子機器として、液晶テレビに適用した場合について述べたが、これに限らず、電子カメラ、電子辞書、ＰＤＡ（パーソナル・デジタル・アシスタント）などの表示装置を備えた電子機器に広く適用することができる。
【図面の簡単な説明】
【００６２】
【図１】この発明を液晶テレビに適用した外観斜視図である。（実施形態１）
【図２】図１の要部を示した拡大断面図である。
【図３】図２の保護部材および液晶表示装置を示した裏面図である。
【図４】この発明を液晶テレビに適用した要部の拡大断面図である。（実施形態２）
【図５】この発明を液晶テレビに適用した要部の拡大断面図である。（実施形態３）
【図６】この発明を液晶テレビに適用した要部の拡大断面図である。（実施形態４）
【図７】この発明を液晶テレビに適用した要部の拡大断面図である。（実施形態５）
【図８】図７の押え部材を示した斜視図である。
【図９】この発明を液晶テレビに適用した要部の拡大断面図である。（実施形態６）
【図１０】この発明を液晶テレビに適用した要部の拡大断面図である。（実施形態７）
【符号の説明】
【００６３】
１  ケース本体
２  液晶表示装置
３、１３、２６  表示用開口部
６  保護部材
６ａ  位置規制孔
６ｂ〜６ｄ  逃がし孔
７  防水パッキン
８  固定ねじ
９  防塵クッション
１０  取付枠部
１１、１４、２７  装着溝
１２  ねじ穴
１５、２５  カバー部材
１６、２８  カバー開口部
１７、３０  連結シート部
２０  押え部材
２１  枠板部
２２  側壁部
２３  脚部
【図１】
2005333290.tif 000003
【図２】
2005333290.tif 000004
【図３】
2005333290.tif 000005
【図４】
2005333290.tif 000006
【図５】
2005333290.tif 000007
【図６】
2005333290.tif 000008
【図７】
2005333290.tif 000009
【図８】
2005333290.tif 000010
【図９】
2005333290.tif 000011
【図１０】
2005333290.tif 000012